(57)【要約】【課題】ガラス枠を閉じる際の操作性を向上させる。【解決手段】本発明に係る遊技機の施錠装置は、表枠に装着されており、前記表枠及びガラス枠の施錠に使用される施錠機構本体と、ガラス枠に装着されており、その施錠機構本体の施錠動作を解除可能な錠本体とを備える遊技機の施錠装置であって、錠本体５０は、解錠軸５５と、ガイド部材５２と、弾性部材５３とを有しており、解錠軸５５は、基準位置にあるときに、ガラス枠が閉鎖されることで施錠機構本体の受け部と嵌合可能な構成で、その基準位置から解錠方向に移動して施錠機構本体の施錠動作を解除可能な構成であり、ガイド部材５２は、基準位置から解錠方向に移動した解錠軸５５をその基準位置までガイド可能な構成であり、弾性部材５３は、ガイド部材５２に対し、そのガイド部材５２が解錠軸５５を基準位置までガイドするのに必要な弾性力を付与する。【選択図】      図１
2004290232.tif 000002
【特許請求の範囲】
【請求項１】
機台枠に表枠が扉状に開閉可能に取付けられており、その表枠にガラス枠が同じく扉状に開閉可能に取付けられている遊技機において、前記表枠に装着されており、前記表枠及び前記ガラス枠の施錠に使用される施錠機構本体と、前記ガラス枠に装着されており、その施錠機構本体の施錠動作を解除可能な錠本体とを備える遊技機の施錠装置であって、
前記錠本体は、解錠軸と、ガイド部材と、弾性部材とを有しており、
前記解錠軸は、基準位置にあるときに前記ガラス枠が閉鎖されることで前記施錠機構本体の受け部と嵌合可能な構成で、前記錠本体がキー操作されると、その基準位置から解錠方向に移動して前記施錠機構本体の施錠動作を解除可能な構成であり、
前記ガイド部材は、前記基準位置から解錠方向に移動した前記解錠軸をその基準位置までガイド可能な構成であり、
前記弾性部材は、前記ガイド部材に対し、そのガイド部材が前記解錠軸を基準位置までガイドするのに必要な弾性力を付与する構成であることを特徴とする遊技機の施錠装置。
【請求項２】
請求項１に記載された遊技機の施錠装置であって、
ガイド部材は、解錠軸の外周面に当接可能な第１傾斜面と、その第１傾斜面と交差するように形成されており、同じく前記解錠軸の外周面に当接可能な第２傾斜面とを備えており、
前記ガイド部材が解錠軸をガイドする過程で、その解錠軸は第１傾斜面あるいは第２傾斜面に沿ってその第１傾斜面と第２傾斜面との交差部の方向に移動し、前記解錠軸が基準位置に到達した段階で、その解錠軸の外周面は前記交差部あるいはその近傍において前記第１傾斜面と第２傾斜面とによって半径方向から拘束されることを特徴とする遊技機の施錠装置。
【請求項３】
請求項１又は請求項２のいずれかに記載の遊技機の施錠装置であって、
錠本体は、取付け部材によってガラス枠に取付けられる構成であり、
前記取付け部材には、ガラス枠が閉鎖される過程で、表枠側の被嵌合部と嵌合することにより、前記施錠機構本体に対する前記錠本体の位置決めを行う嵌合部が形成されていることを特徴とする遊技機の施錠装置。
【請求項４】
請求項１から請求項３のいずれかに記載の遊技機の施錠装置であって、
錠本体の取付け部材は、ガラス枠の回動自由端側の端縁に沿って固定されるフレームを備えており、
前記フレームの上下両端に、施錠機構本体のガラス枠用の係合爪が掛けられるガラス枠用の爪受け具が形成されていることを特徴とする遊技機の施錠装置。
【発明の詳細な説明】
【０００１】
【発明の属する技術分野】
本発明は、機台枠に表枠が扉状に開閉可能に取付けられており、その表枠にガラス枠が同じく扉状に開閉可能に取付けられている遊技機において、前記表枠に装着されており、前記表枠及び前記ガラス枠の施錠に使用される施錠機構本体と、前記ガラス枠に装着されており、その施錠機構本体の施錠解除に使用される錠本体とを備える遊技機の施錠装置に関する。
【０００２】
【従来の技術】
遊技機の一つであるパチンコ機の施錠装置に使用される一般的な錠本体（シリンダ錠）が特許文献１に記載されている。
前記シリンダ錠は、図１０（Ａ）に示すように、本体部分９２の先端中央から突出した回転軸９４を備えており、その回転軸９４の先端にカム板９６が固定されている。そして、前記カム板９６に解錠軸９８が前記回転軸９４と軸心をずらした状態で固定されている。これによって、前記シリンダ錠９０がキー操作されると、回転軸９４が回転し、解錠軸９８は所定範囲内を移動するようになる（図１０（Ｂ）参照）。
パチンコ機の中には、前記シリンダ錠９０がガラス枠側に装着されており、そのシリンダ錠９０によって施錠動作を解除される施錠機構本体１００が表枠側に装着されているものがある。
【０００３】
このようなパチンコ機では、キー操作によりシリンダ錠９０の解錠軸９８をそのシリンダ錠９０の基準位置（図１０（Ｂ）の実線位置）まで移動させた状態で、ガラス枠を閉じることにより、シリンダ錠９０の解錠軸９８を施錠機構本体１００の受け部１０３に嵌め込めるようになる。そして、ガラス枠あるいは表枠を開くときには、シリンダ錠９０をキー操作して解錠軸９８により施錠機構本体１００の第１可動錠板１０１を移動させて表枠の解錠を行ったり、第２可動錠板１０２を移動させてガラス枠の解錠を行えるようにしている。
【０００４】
【特許文献１】
特開平１０−２７７２４２号
【０００５】
【発明が解決しようとする課題】
しかし、上記した構造のシリンダ錠９０では、ガラス枠を閉じる際にキー操作でシリンダ錠９０の解錠軸９８を基準位置まで移動させる必要がある。このため、ガラス枠を閉じる際の操作性が良くないという問題がある。
本発明は、上記問題点に鑑みなされたものであり、本発明が解決しようとする課題はガラス枠を閉じる際の操作性を向上させることである。
【０００６】
【課題を解決するための手段】
上記した課題は、各請求項の発明によって解決される。
請求項１の発明は、機台枠に表枠が扉状に開閉可能に取付けられており、その表枠にガラス枠が同じく扉状に開閉可能に取付けられている遊技機において、前記表枠に装着されており、前記表枠及び前記ガラス枠の施錠に使用される施錠機構本体と、前記ガラス枠に装着されており、その施錠機構本体の施錠動作を解除可能な錠本体とを備える遊技機の施錠装置であって、前記錠本体は、解錠軸と、ガイド部材と、弾性部材とを有しており、前記解錠軸は、基準位置にあるときに前記ガラス枠が閉鎖されることで前記施錠機構本体の受け部と嵌合可能な構成で、前記錠本体がキー操作されると、その基準位置から解錠方向に移動して前記施錠機構本体の施錠動作を解除可能な構成であり、前記ガイド部材は、前記基準位置から解錠方向に移動した前記解錠軸をその基準位置までガイド可能な構成であり、前記弾性部材は、前記ガイド部材に対し、そのガイド部材が前記解錠軸を基準位置までガイドするのに必要な弾性力を付与する構成であることを特徴とする。
【０００７】
本発明によると、錠本体の解錠軸は、その錠本体の基準位置にあるときに、ガラス枠が閉鎖されることで施錠機構本体の受け部と連結可能である。このため、錠本体の解錠軸が基準位置にないときにガラス枠を閉じようとしても、錠本体の解錠軸を施錠機構本体と連結させることはできない。
しかし、前記解錠軸はガイド部材及び弾性部材の働きで基準位置に方向に戻る方向の力を常に受けているため、錠本体がキー操作されていないときは、解錠軸は常に錠本体の基準位置に位置している。このため、ガラス枠を閉じる際に、従来のようにキー操作により解錠軸を基準位置まで戻す必要がなくなる。即ち、ガラス枠を閉じるだけで、錠本体の解錠軸が自動的に施錠機構本体の受け部と嵌合するようになる。したがって、ガラス枠を閉じる際の操作性が向上する。
【０００８】
請求項２の発明によると、ガイド部材は、解錠軸の外周面に当接可能な第１傾斜面と、その第１傾斜面と交差するように形成されており、同じく前記解錠軸の外周面に当接可能な第２傾斜面とを備えており、前記ガイド部材が解錠軸をガイドする過程で、その解錠軸は第１傾斜面あるいは第２傾斜面に沿ってその第１傾斜面と第２傾斜面との交差部の方向に移動し、前記解錠軸が基準位置に到達した段階で、その解錠軸の外周面は前記交差部あるいはその近傍において前記第１傾斜面と第２傾斜面とによって半径方向から拘束される。
本発明によると、解錠軸が基準位置にあるときは、その解錠軸が第１傾斜面と第２傾斜面とによって半径方向から拘束されるため、解錠軸を安定した状態で基準位置に保持しておくことができる。
【０００９】
請求項３の発明によると、錠本体は、取付け部材によってガラス枠に取付けられる構成であり、前記取付け部材には、ガラス枠が閉鎖される過程で、表枠側の被嵌合部と嵌合することにより、前記施錠機構本体に対する前記錠本体の位置決めを行う嵌合部が形成されていることを特徴とする。
本発明によると、ガラス枠が閉鎖される過程で、取付け部材の係合部と表枠側の被嵌合部とが嵌合して、施錠機構本体に対する前記錠本体の位置決めが行われるため、錠本体の解錠軸と施錠機構本体の受け部とが嵌合し易くなる。
【００１０】
請求項４の発明によると、錠本体の取付け部材は、ガラス枠の回動自由端側の端縁に沿って固定されるフレームを備えており、前記フレームの上下両端に、施錠機構本体のガラス枠用の係合爪が掛けられるガラス枠用の爪受け具が形成されていることを特徴とする。
本発明によると、取付け部材のフレームがガラス枠の回動自由端側の端縁に沿って固定されているため、そのフレームによってガラス枠の補強を行うことができる。さらに、フレームの上下両端にガラス枠用の爪受け具が形成されているため、ガラス枠側の部品点数も少なくできる。
【００１１】
【発明の実施の形態】
以下、図１から図９に基づいて本発明の実施形態１に係る遊技機の施錠装置の説明を行う。本実施形態は、遊技機の一つであるパチンコ機に本発明を適用した例であり、図１は施錠装置の錠本体を表す分解斜視図等、図２はその施錠装置を備えるパチンコ機を前上方から見た分解斜視図、図３は施錠装置の施錠機構本体を主体的に表す分解斜視図である。また、図４は錠本体の解錠軸と施錠機構本体の受け部との嵌合状態を表す模式図である。なお、パチンコ機の幅方向をＸ方向、前後方向をＹ方向、高さ方向をＺ方向として図示する。
【００１２】
パチンコ機１０は、図２に示すように、そのパチンコ機１０のケースとなる機台枠１１を備えており、その機台枠１１に表枠１２が扉状に開閉可能に取付けられている。表枠１２は、図示されていない遊技盤や制御装置等、パチンコ機の主要部品が取付けられる枠である。表枠１２の表面には、遊技盤を覆うガラス枠２０及び玉受け皿等を有する前板（図示されていない）が扉状に開閉可能に取付けられている。
表枠１２の回動自由端側の裏面には施錠装置の施錠機構本体３０が縦に取付けられており、ガラス枠２０の回動自由端側のほぼ中央に施錠機構本体３０の施錠動作を解除する錠本体５０が取付けられている。
【００１３】
機台枠１１の回動自由端側の縦枠１１ａには、その内側面に機台枠１１の内方に突出する第１爪受け具７が上下所定位置に止着されている。そして、それらの第１爪受け具７に、施錠機構本体３０の上下の第１係合爪３２がそれぞれ上側から掛けられようになっている。このように、上下の第１係合爪３２がそれぞれ第１爪受け具７に掛けられた状態で、表枠１２の施錠が行われる。
ガラス枠２０の回動自由端側裏面には、そのガラス枠２０の後方に突出する第２爪受け具２８が上下所定位置に止着されている。そして、それらの第２爪受け具２８に、施錠機構本体３０の上下の第２係合爪３４が下側から掛けられるようになっている。このように、上下の第２係合爪３４がそれぞれ第２爪受け具２８に掛けられた状態で、ガラス枠２０の施錠が行われる。
【００１４】
施錠機構本体３０は、図２、図３の分解斜視図に示すように、断面略Ｌ字形をした固定基枠４０と、上下に第１係合爪３２が連結された第１可動錠板４１と、上下に第２係合爪３４が形成された第２可動錠板４２とを備えている。
固定基枠４０は、施錠機構本体３０を表枠１２の裏面に取付けるとともに第１可動錠板４１及び第２可動錠板４２を上下スライド可能に支持できるように構成されている。また、固定基枠４０のほぼ中央部分は他の部分よりも幅広に形成されており、その幅広部分にガラス枠２０の錠本体５０に対応して横Ｕ字形の切欠き４０ｃが形成されている。なお、横Ｕ字形の切欠き４０ｃに対応する表枠１２の所定部位も切欠かれている。
【００１５】
固定基枠４０の上下所定位置Ｔには、支持金具３５によって第１係合爪３２が上下回動可能に取付けられており、それら上下の第１係合爪３２が第１可動錠板４１によって連結されている。そして、第１可動錠板４１が固定基枠４０に沿って上限位置から下方にスライドすることにより、上下の第１係合爪３２は施錠位置から解錠方向に上回動する。また、第１可動錠板４１が下方から上限位置までスライドすることにより、上下の第１係合爪３２は下回動して施錠位置に戻される。第１可動錠板４１と固定基枠４０との間には第１バネ３６が装着されており、その第１バネ３６が第１可動錠板４１を引き上げる方向に付勢されている。このため、上下の第１係合爪３２は第１バネ３６の力で施錠位置に保持されている。
【００１６】
第１可動錠板４１の中央部には、固定基枠４０の横Ｕ字形の切欠き４０ｃに対応する位置に受け板４１ｂが設けられており、その受け板４１ｂに錠本体５０の解錠軸５５が通される第１開口４１ｈが形成されている。第１開口４１ｈは、図４（Ａ）〜（Ｃ）に示すように、右向きのＬ字部４１ｒと、そのＬ字部４１ｒの曲がり部Ｍ１に接続された左下円弧部４１ｅとから形成されている。即ち、前記曲がり部がＬ字部４１ｒと左下円弧部４１ｅとの接続部Ｍ１となる。そして、ガラス枠２０が閉じられる際、錠本体５０の基準位置にある解錠軸５５が上限位置にある第１可動錠板４１の第１開口４１ｈの接続部Ｍ１に通されるように構成されている。したがって、その接続部Ｍ１が本発明の受け部に相当する。
【００１７】
第２可動錠板４２は、第１可動錠板４１と固定基枠４０との間に挟まれた状態で、その固定基枠４０に沿って上下スライド可能に構成されている。第２可動錠板４２の上下端には前述の第２係合爪３４が形成されており、それらの第２係合爪３４の先端部が固定基枠４０の上下所定位置に形成されたスリット４０ｓを通って表枠１２の表面側に突出している。
第２可動錠板４２が固定基枠４０に沿って上限位置から下方にスライドすると、上下の第２係合爪３４は施錠位置から解錠方向（下方）に移動する。また、第２可動錠板４２が下方から上限位置までスライドすると、上下の第２係合爪３４は上動して施錠位置に戻される。第２可動錠板４２と固定基枠４０との間には第２バネ３７が装着されており、その第２バネ３７が第２可動錠板４２を引き上げる方向に付勢されている。このため、上下の第２係合爪３４は第２バネ３７の力で施錠位置に保持されている。
【００１８】
第２可動錠板４２の中央部には、固定基枠４０の横Ｕ字形の切欠き４０ｃに対応する位置に受け板４２ｂが設けられており、その受け板４２ｂに錠本体５０の解錠軸５５が通される第２開口４２ｈが形成されている。第２開口４２ｈは、図４（Ａ）〜（Ｃ）に示すように、左向きのＬ字部４２ｒと、そのＬ字部４２ｒの曲がり部Ｍ２に接続された右下円弧部４２ｅとから形成されている。即ち、前記曲がり部Ｍ２がＬ字部４２ｒと右下円弧部４２ｅとの接続部Ｍ２となる。そして、ガラス枠２０が閉じられる際、錠本体５０の基準位置にある解錠軸５５が上限位置にある第２可動錠板４２の第２開口４２ｈの接続部Ｍ２に通されるように構成されている。したがって、施錠状態で第２開口４２ｈの接続部Ｍ２と第１開口４１ｈの接続部Ｍ１とは重なるようになり、その接続部Ｍ２が第１開口４１ｈの接続部Ｍ１と共に本発明の受け部に相当する。
【００１９】
施錠装置の錠本体５０は、図１（Ａ）に示すように、シリンダ錠５１と、ガイド部材５２と、弾性部材５３とを備えており、そのシリンダ錠５１等が取付け部材５４によってガラス枠２０の回動自由端側に取付けられる。
シリンダ錠５１は、本体部分５０ｍの先端中央から突出した回転軸５０ｊを備えており、その回転軸５０ｊの先端にカム板５０ｂが固定されている。そして、そのカム板５０ｂに解錠軸５５が回転軸５０ｊと軸心を寸法Ｒだけずらした状態で固定されている。このため、シリンダ錠５１がキー（図示されていない）操作されると、回転軸５０ｊが回転し、解錠軸５５が回転軸５０ｊの軸心回りに半径Ｒの円周に沿って移動するようになる。ここで、解錠軸５５の回動半径Ｒは、前述の第１可動錠板４１の左下円弧部４１ｅ及び第２可動錠板４２の右下円弧部４２ｅの半径に等しく設定されている。
【００２０】
シリンダ錠５１の本体部分５０ｍの先端にはフランジ部５０ｆが形成されており、そのフランジ部５０ｆの上部と下部とが取付け部材５４にビス止めされる。取付け部材５４は、図１（Ａ）に示すように、シリンダ錠５１のフランジ部５０ｆを上下及び右側の三方から囲えるように上板５４ｕ、縦板５４ｔ及び下板５４ｄによって略コ字形に形成されている。取付け部材５４の上板５４ｕの先端には曲げ板５４ｘが下方に折り曲げ形成されており、下板５４ｄの先端には曲げ板５４ｙが上方に折り曲げ形成されている。そして、上下の曲げ板５４ｘ，５４ｙに、図１（Ｂ）等に示すように、シリンダ錠５１のフランジ部５０ｆがビス止めされている。
【００２１】
また、取付け部材５４の上板５４ｕの基端には曲げ基板５４ａが上方に折り曲げ形成されており、下板５４ｄの基端には曲げ基板５４ｂが下方に折り曲げ形成されている。そして、上下の曲げ基板５４ａ，５４ｂがガラス枠２０の裏面に固定されている。
さらに、取付け部材５４の下側の曲げ板５４ｙには、その側面にシリンダ錠５１の軸心と並行に位置決めフレーム５４ｐが固定されている。位置決めフレーム５４ｐの先端は先細状に形成されており、その下側に傾斜面５４ｋが設けられている。
【００２２】
位置決めフレーム５４ｐは、ガラス枠２０が閉鎖される過程で、表枠１２側の被挿入部１２ｈ（図１（Ｂ）参照）に挿入されることで、表枠１２の施錠機構本体３０に対するシリンダ錠５１の位置決めを行う部材である。
即ち、位置決めフレーム５４ｐが本発明の嵌合部に相当し、表枠１２側の被挿入部１２ｈが本発明の被嵌合部に相当する。
【００２３】
取付け部材５４の縦板５４ｔには、一対のピン５７と一対の長孔５２ｈとによってガイド部材５２がその縦板５４ｔに沿って上下スライド可能に取付けられている。
ガイド部材５２は、シリンダ錠５１の解錠軸５５を上限位置（基準位置）までガイドするための部材であり、スライド板５２ｓとガイド板５２ｐとから構成されている。スライド板５２ｓは取付け部材５４の縦板５４ｔに対して摺動する部分であり、前述の長孔５２ｈを備えている。また、スライド板５２ｓの下部には、バネ受け５２ｖが切り起こし状に形成されており、そのバネ受け５２ｖにそのスライド板５２ｓを引き上げる方向に付勢された弾性部材５３の一端が掛けられている。弾性部材５３の他端は、取付け部材５４の縦板５４ｔの上部に形成されたバネ受け５４ｖに掛けられている。
【００２４】
ガイド部材５２のガイド板５２ｐはスライド板５２ｓに対して直角に折り曲げられており、その中央にはシリンダ錠５１の解錠軸５５が通される逆三角形状のガイド開口５９が形成されている。ガイド開口５９は、Ｖ字形部分を構成する第１傾斜面５９ａと第２傾斜面５９ｂとを備えており、第１傾斜面５９ａと第２傾斜面５９ｂとの交差部、即ち、Ｖ字部分の谷底５９ｖがシリンダ錠５１の回転軸５０ｊの軸心と平面的に重なるように形成されている。
【００２５】
このため、弾性部材５３のバネ力でガイド部材５２が取付け部材５４の縦板５４ｔに沿って上方にスライドすると、シリンダ錠５１の解錠軸５５は第１傾斜面５９ａあるいは第２傾斜面５９ｂに押上げられながらＶ字部分の谷底５９ｖに向かって移動する。そして、解錠軸５５が上限位置（基準位置）に到達した段階で、解錠軸５５はＶ字部分の谷底５９ｖに到達し、その解錠軸５５の外周面は第１傾斜面５９ａと第２傾斜面５９ｂとによって半径方向外側から拘束される。したがって、シリンダ錠５１がキー操作されていないときは、解錠軸５５は常にシリンダ錠５１の基準位置（上限位置）に保持されている。
【００２６】
次に、上記したパチンコ機１０の施錠装置の動作説明を行う。
パチンコ機１０の表枠１２及びガラス枠２０が閉じられて施錠が行われている状態では、施錠機構本体３０の第１可動錠板４１及び第２可動錠板４２は第１バネ３６及び第２バネ３７の力で上限位置に保持されている。このため、ガラス枠２０に取付けられた錠本体５０の基準位置にある解錠軸５５は、図４（Ａ）に示すように、第１可動錠板４１の第１開口４１ｈの接続部Ｍ１及び第２可動錠板４２の第２開口４２ｈの接続部Ｍ２に通されている。
【００２７】
この状態からシリンダ錠５１をキー操作して、そのシリンダ錠５１の回転軸５０ｊを図４（Ａ）において右回動させると、これに伴ってシリンダ錠５１の解錠軸５５は第２可動錠板４２の第２開口４２ｈの右下円弧部４２ｅに沿って移動する。この移動過程で、シリンダ錠５１の解錠軸５５は第１可動錠板４１の第１開口４１ｈのＬ字部４１ｒと係合し、図４（Ｂ）に示すように、その第１可動錠板４１を第１バネ３６の力に抗して下方に押し下げる。これによって、施錠機構本体３０の第１係合爪３２が機台枠１１の第１爪受け具７から外れ、表枠１２の解錠が行われる。
【００２８】
また、シリンダ錠５１の解錠軸５５が第２可動錠板４２の第２開口４２ｈの右下円弧部４２ｅに沿って移動する過程で、その解錠軸５５はガイド部材５２の第１傾斜面５９ａに当接し、谷底５９ｖから離れる方向に摺動しながらガイド部材５２を弾性部材５３の力に抗して押し下げる（図１（Ｃ）、図４（Ｂ）参照）。このため、表枠１２の解錠後、シリンダ錠５１のキーから手を離すと、弾性部材５３の力でガイド部材５２が押上げられ、解錠軸５５はガイド部材５２の第１傾斜面５９ａによって上方に押圧される。これによって、解錠軸５５は、第２可動錠板４２の第２開口４２ｈの右下円弧部４２ｅに沿って元の位置まで戻されるとともに、第１傾斜面５９ａを摺動しながら谷底５９ｖの位置（基準位置）まで戻される（図４（Ａ）参照）。
【００２９】
シリンダ錠５１をキー操作して、そのシリンダ錠５１の回転軸５０ｊを図４（Ａ）において左回動させると、これに伴ってシリンダ錠５１の解錠軸５５は第１可動錠板４１の第１開口４１ｈの左下円弧部４１ｅに沿って移動する。この移動過程で、シリンダ錠５１の解錠軸５５は第２可動錠板４２の第２開口４２ｈのＬ字部４２ｒと係合し、図４（Ｃ）に示すように、その第２可動錠板４２を第２バネ３７の力に抗して下方に押し下げる。これによって、施錠機構本体３０の第２係合爪３４がガラス枠２０の第２爪受け具２８から外れ、ガラス枠２０の解錠が行われる。
【００３０】
また、シリンダ錠５１の解錠軸５５が第１可動錠板４１の第１開口４１ｈの左下円弧部４１ｅに沿って移動する過程で、その解錠軸５５はガイド部材５２の第２傾斜面５９ｂに当接し、谷底５９ｖから離れる方向に摺動しながらガイド部材５２を弾性部材５３の力に抗して押し下げる（図１（Ｃ）、図４（Ｃ）参照）。このため、ガラス枠２０の解錠後、シリンダ錠５１のキーから手を離すと、弾性部材５３の力でガイド部材５２が押上げられ、解錠軸５５はガイド部材５２の第２傾斜面５９ｂによって上方に押圧される。これによって、解錠軸５５は、第１可動錠板４１の第１開口４１ｈの左下円弧部４１ｅに沿って元の位置まで戻されるとともに、第２傾斜面５９ｂを摺動しながら谷底５９ｖの位置（基準位置）まで戻される（図４（Ａ）参照）。
【００３１】
このように、本実施形態に係るパチンコ機１０の施錠装置によると、シリンダ錠５１の解錠軸５５はガイド部材５２及び弾性部材５３の働きで基準位置に方向に戻る方向の力を常に受けているため、シリンダ錠５１がキー操作されていないときは、解錠軸５５は常に基準位置に位置している。このため、ガラス枠２０を閉じる際に、従来のようにキー操作により解錠軸を基準位置まで戻す必要がなくなる。即ち、ガラス枠２０を閉じるだけで、シリンダ錠５１の解錠軸５５が自動的に施錠機構本体３０の受け部（接続部Ｍ１，Ｍ２）と嵌合するようになる。したがって、ガラス枠２０を閉じる際の操作性が向上する。
【００３２】
また、シリンダ錠５１の解錠軸５５が基準位置にあるときは、その解錠軸が第１傾斜面と第２傾斜面とによって半径方向から拘束されるため、解錠軸を安定した状態で基準位置に保持しておくことができる。
また、シリンダ錠５１は、取付け部材５４によってガラス枠２０に取付けられる構成であり、取付け部材５４には、ガラス枠２０が閉鎖される過程で、表枠１２側の被挿入部１２ｈに挿入される位置決めフレーム５４ｐが設けられている。このため、ガラス枠２０が閉鎖される過程でシリンダ錠５１の解錠軸５５が施錠機構本体３０のの受け部（接続部Ｍ１，Ｍ２）と嵌合し易くなる。
【００３３】
ここで、本実施形態では、シリンダ錠５１の解錠軸５５が上限位置にある状態をその解錠軸５５の基準位置とする例を示したが、図６に示すように、シリンダ錠５１の解錠軸５５が右限位置にある状態をその解錠軸５５の基準位置にすることも可能である。この場合、ガイド部材５２及び弾性部材５３の取付け位置を９０°ずらす必要がある。
このように、シリンダ錠５１の解錠軸５５が右限位置にある状態をその解錠軸５５の基準位置にすることにより、図５（Ａ）に示すように、第１可動錠板４１を押上げて表枠１２の解錠を行い、第２可動錠板を押下げてガラス枠２０の解錠を行う方式の施錠機構本体３０にその錠本体５０（シリンダ錠５１）を使用することが可能になる。
【００３４】
また、本実施形態では、回転軸５０ｊのカム板５０ｂに一本の解錠軸５５を備えるシリンダ錠５１を例に説明を行ったが、図５（Ｂ）に示すように、回転軸５０ｊの軸線を挟んで対向する位置に二本の解錠軸５５を設けることも可能である。この場合、ガイド部材５２は片側の解錠軸５５のみ基準位置に戻せるように構成すれば良い。このように、二本の解錠軸５５を設けることにより、第１可動錠板４１を押上げて表枠１２の解錠を行い、第２可動錠板を押上げてガラス枠２０の解錠を行う方式の施錠機構本体３０にそのシリンダ錠５１を使用することが可能になる。
【００３５】
また、本実施形態では、ガイド部材５２を弾性部材５３によって上限位置（図６では右限界位置）まで移動させることで、シリンダ錠５１の解錠軸５５を基準位置まで戻す例を示したが、図７に示すように、取付け部材５４の上下に弾性部材５３ｕ，５３ｄを設け、ガイド部材５２が取付け部材５４の中央位置にあるときにシリンダ錠５１の解錠軸５５が基準位置に位置決めされるようにしても良い。
【００３６】
また、本実施形態では、取付け部材５４をシリンダ錠５１の取付け用及び施錠機構本体３０に対するシリンダ錠５１の位置決め用に使用する例を示したが、図８、図９に示すように、取付け部材５４に上下に延びるフレーム２７を固定し、そのフレーム２７の上下端にガラス枠用の爪受け具２８を形成することも可能である。
このように、取付け部材５４にフレーム２７を固定することにより、そのフレーム２７によってガラス枠２０の補強を行えるようになる。さらに、フレーム２７の上下両端にガラス枠用の爪受け具２８が形成されているため、ガラス枠側の部品点数も少なくできる。
【００３７】
また、本実施形態では、パチンコ機１０に本発明を適用する例を示したが、パチンコ機以外の遊技機、例えば、アレンジボール機、麻雀遊技機、テレビゲーム機等であってガラス枠等に類似する扉を備えるものに本発明を適用することが可能である。
【００３８】
【発明の効果】
本発明によると、ガラス枠を閉じるだけで、錠本体の解錠軸が自動的に施錠機構本体の受け部と嵌合するようになり、ガラス枠を閉じる際の操作性が向上する。
【図面の簡単な説明】
【図１】本発明の実施形態１に係るパチンコ機の施錠装置の錠本体を表す分解斜視図（Ａ図）、錠本体の組立て斜視図（Ｂ図）及び解錠操作時の錠本体を表す斜視図（Ｃ図）である。
【図２】施錠装置を備えるパチンコ機を前上方から見た分解斜視図である。
【図３】施錠装置の施錠機構本体を主体的に表す分解斜視図である。
【図４】施錠装置の錠本体の解錠軸と施錠機構本体の受け部との嵌合状態を表す模式図（Ａ図、Ｂ図、Ｃ図）である。
【図５】施錠装置の錠本体の解錠軸と別の施錠機構本体の受け部との嵌合状態を表す模式図（Ａ図、Ｂ図）である。
【図６】施錠装置の錠本体の変更例を表す分解斜視図（Ａ図）、錠本体の組立て斜視図（Ｂ図）及び解錠操作時の錠本体を表す斜視図（Ｃ図）である。
【図７】施錠装置の錠本体の変更例を表す分解斜視図である。
【図８】施錠装置の錠本体の変更例を表す分解斜視図である。
【図９】施錠装置の錠本体の変更例を表す分解斜視図である。
【図１０】従来のシリンダ錠を表す斜視図（Ａ図）、及びシリンダ錠の解錠軸と施錠機構本体の受け部との嵌合状態を表す模式図（Ｂ図）である。
【符号の説明】
Ｍ１、Ｍ２  接続部
７          第１爪受け具
１１        機台枠
１２        表枠
２０        ガラス枠
２７        フレーム
２８        第２爪受け具
３０        施錠機構本体
５０        錠本体
５１        シリンダ錠
５２        ガイド部材
５３        弾性部材
５４        取付け部材
５５        解錠軸
５９ａ      第１傾斜面
５９ｂ      第２傾斜面
【図１】
2004290232.tif 000003
【図２】
2004290232.tif 000004
【図３】
2004290232.tif 000005
【図４】
2004290232.tif 000006
【図５】
2004290232.tif 000007
【図６】
2004290232.tif 000008
【図７】
2004290232.tif 000009
【図８】
2004290232.tif 000010
【図９】
2004290232.tif 000011
【図１０】
2004290232.tif 000012